(57)【要約】【課題】従来、ジャンル情報の検索は可能であるが、視聴者による操作を必要とするため、ジャンル検索操作を怠っていると、視聴したいジャンルの番組を見逃してしまったり、既に番組が始まっていたりするといった問題があった。【解決手段】放送予定番組の番組種類にかかる情報を含む番組情報を有する放送信号をチューナ３で受信し、ＧＵＩ回路８にて視聴を希望する番組ジャンルを設定し、番組データ抽出回路７にてチューナ３で受信した放送信号からＧＵＩ回路８で設定された番組ジャンルにかかる番組情報を抽出する。ＧＵＩ回路８では、この抽出された番組情報から上記視聴を希望するジャンルの番組の開始を検出し、この検出に基づき希望の種類の番組が開始されることをディスプレイへの表示にて通知するようにした。【選択図】　図１
2004032230.tif 000002
【特許請求の範囲】
【請求項１】
放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組が開始されることを通知する手段とを具備したことを特徴とする放送信号処理装置。
【請求項２】
放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組が開始されることを外部機器に送信する手段とを具備したことを特徴とする放送信号処理装置。
【請求項３】
放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組を記録媒体に記録する手段とを具備したことを特徴とする放送信号処理装置。
【請求項４】
放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組を外部記録装置を制御して記録させる手段とを具備したことを特徴とする放送信号処理装置。
【発明の詳細な説明】
【０００１】
【発明の属する技術分野】本発明は、放送信号処理装置に関する。
【０００２】
【従来の技術】デジタル放送では、現在放送されている番組もしくは今後放送される番組の情報（いわゆるＥＰＧデータと称されるもので、番組名やチャンネル番号、放送開始・終了時間等の情報）を放送信号自体から取得することが可能となっており、上記情報の中に番組の種類（ジャンル）を選別することが可能な情報も含まれている。この番組のジャンル情報からジャンル別検索を行い、選択したジャンルに該当する番組を全てリスト化して表示することも可能である。また、このリストから視聴したい番組を選択し録画予約や視聴予約を行なうことも可能である。
【０００３】
しかしながら上記のシステムでは、ジャンル情報の検索は可能であるが、視聴者による操作を必要とする。このため、視聴者がジャンル検索操作を怠っていると、視聴したいジャンルの番組を見逃してしまったり、既に番組が始まっていたりするといった問題があった。
【０００４】
特開２００１−３３３３５８号公報に記載の録画・再生システムでは、ユーザが定義した分類に従って仮想チャンネルを割り当て、この分類に該当する番組を仮想チャンネル上に録画することで、チャンネル切り換えの操作のみで録画番組を視聴可能とすることが開示されている。しかしながら、基本的に全ての番組を記録することを前提としており、記録容量がかなり必要となるものである。
【０００５】
また、特開２００２−６４７７１号公報に記載の放送受信記録装置は、ユーザの好みの番組を推定してこれを自動的に録画したり、あるいは録画予約の候補としたりするものであるが、ユーザ自身の設定による録画ではない。
【０００６】
【発明が解決しようとする課題】上述したように、従来ジャンル情報の検索は可能であるが視聴者による操作を必要とするため、視聴者がジャンル検索操作を怠っていると視聴したいジャンルの番組を見逃してしまったり、既に番組が始まっていたりするといった問題があった。本発明はこのような問題点を解決するためになされたもので、希望する種類の番組の開始時間を気にする必要の無い放送信号処理装置を提供することを目的とする。
【０００７】
【課題を解決するための手段】請求項１にかかる放送信号処理装置は、放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組が開始されることを通知する手段とを具備したことを特徴とするものである。
【０００８】
請求項２にかかる放送信号処理装置は、放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組が開始されることを外部機器に送信する手段とを具備したことを特徴とするものである。
【０００９】
請求項３にかかる放送信号処理装置は、放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組を記録媒体に記録する手段とを具備したことを特徴とするものである。
請求項４にかかる放送信号処理装置は、放送予定番組の番組種類にかかる情報を含む番組情報を有する放送信号を受信する手段と、視聴を希望する番組種類を設定する手段と、前記受信手段で受信した放送信号から前記設定手段で設定された番組種類にかかる番組情報を抽出する手段と、この抽出手段で抽出された番組情報から前記視聴を希望する番組種類の番組の開始を検出する手段と、この検出手段の検出出力に基づき希望の種類の番組を外部記録装置を制御して記録させる手段とを具備したことを特徴とするものである。
【００１０】
【発明の実施の形態】以下、本発明になる放送信号処理装置の実施の形態につき、図面を用いて説明する。
【００１１】
図１は、本発明になる放送信号処理装置の実施の形態の一例を示すブロック図であり、１は放送信号処理装置の全体、２はＥＰＧデータを含むデジタル放送信号が入力されるアンテナ入力端子、３はチューナ、４はＭＰＥＧデコーダ、５は合成回路、６は出力端子であり、この端子６には図示せぬディスプレイが接続されている。
【００１２】
７は番組データ抽出回路であり、ＭＰＥＧデコーダ４からのＥＰＧデコード情報から選択された特定の番組種類（ジャンル）に関する番組データを抽出する。８はグラフィカル・ユーザ・インタフェース（ＧＵＩ）回路であり、その機能としては、視聴希望の番組ジャンルの設定用メニュー画面を表示して、視聴者がリモートコントローラ（以下、リモコンという）９を使用して特定の番組ジャンルを設定する機能８ａ、番組が間もなく開始する旨の表示を行なったりする機能８ｂを有している。
【００１３】
ＧＵＩ回路８にはリモコン９の受信装置１０の出力端が接続されている。また、このＧＵＩ回路８の出力端には上記合成回路５が接続され、ＧＵＩ回路８で作成された表示画面信号がＭＰＥＧデコーダ４からの番組信号に重畳される。さらに、ＧＵＩ回路８の出力端には録画処理回路１１が接続され、その出力端には放送信号処理装置１に内蔵されたＨＤＤ１２が接続されている。ＧＵＩ回路８の出力端は、チューナ３にも接続されている。
【００１４】
次に、上記装置の動作につき図２乃至図６も用いて説明する。最初に視聴者にて視聴を希望する番組ジャンルの設定がなされる。視聴者は、リモコン９を用いて図２に示す如き設定用の画面を図示せぬ表示装置に表示させる。この画面は上述したようにＧＵＩ回路８からの信号に基づき表示される。
【００１５】
図２に示す例では、計１２の番組ジャンルの中から「野球」を視聴希望ジャンルとして登録した例を示している。すなわち、リモコン９の図示せぬ上下左右のカーソルキーによりジャンル「野球」２１を選択し、その後、やはり図示せぬリモコン９の［決定］キーを押すことで視聴希望ジャンルとして「野球」２１が選択される。ここでは、選択されたジャンルを他と区別するために背景色を他のジャンルの色よりも濃い色にしている。なお、複数の視聴希望ジャンルを選択することも、もちろん可能である。
【００１６】
さらに視聴者は、図３に示す如きメニュー画面を見ながらリモコン９の図示せぬ左右カーソルキー及び［決定］キーを用いて、登録したジャンルの番組が始まる前に番組開始の旨を画面に表示することを希望するか（「画面に表示」２２）、あるいは表示せずに自動的にＨＤＤに記録を行うか（「ＨＤＤに録画」２３）の選択を行なう。
【００１７】
以上の図２、図３で設定（登録）されたデータは、ＧＵＩ回路８に記憶される。
【００１８】
ここで、視聴希望ジャンルとして「野球」、番組開始時の処理として「画面に表示」という設定がなされているとして、図１の装置の動作について説明する。アンテナ端子２から入力されたデジタル放送信号は、チューナ３にて所望のチャンネルの放送信号が選択され、ＭＰＥＧデコーダ４にてデコードされ、合成回路５を介して出力端子６に出力される。ＧＵＩ回路８から表示用信号出力がある場合は、合成回路５でＭＰＥＧデコーダ４の出力と合成されて、出力端子６に出力される。出力端子６の出力は図示せぬＣＲＴディスプレイにて画面表示される。
【００１９】
番組データ抽出回路７では、ＭＰＥＧデコーダ４にてデコードされたデータからＥＰＧデータを抽出し、さらにＧＵＩ回路８からの視聴者が設定している視聴希望ジャンルのデータに基づき、視聴希望ジャンルにかかる番組データ（番組名やチャンネル番号、放送開始・終了時間等の情報）を抽出する。これは上記ＥＰＧデータ中に含まれているジャンルデータにより該当ジャンルにかかる番組データを抽出することで実行される。この抽出データは、ＧＵＩ回路８に送られる。ＧＵＩ回路８では、上記データの中から間もなく開始される番組があるか否かがチェックされる。そして、このチェック結果にもとづき、間もなく開始される番組があれば番組開始表示処理を行ない、表示用データを合成回路５に出力する。上記番組開始表示処理による画面表示例を以下に説明する。
【００２０】
視聴者が例えばＢＳ１０１チャンネルを視聴時にＢＳ１４１チャンネルで野球が開始される時刻になると、図４に示す如く、例えば画面左下に野球番組が始まる旨のスーパーインポーズ表示が表れる。なお、図４ではこのスーパーインポーズ部を分かり易いように、この部分の表示を抜き出し拡大して示している。スーパーインポーズ表示ではなく、画面を一時的に切り換えるようにすることも可能である。
【００２１】
ここでは、チャンネルを切り換えるかどうかにつき問合せがなされるため、リモコン９の図示せぬカーソルキーにより「はい」２４、「いいえ」２５のいずれかを選択することになる。「はい」２４を選べば、ＧＵＩ回路８からチューナ３に制御信号が出されて、チューナはＢＳ１４１チャンネルに切り換えられる。「いいえ」２５が選択された場合は、そのままの状態が維持され、チャンネルは切り換わらない。
【００２２】
図４に示すような視聴選択画面の表示ではなく、単に情報の通知だけを行なうことも可能である。図５はこのような場合の画面表示の一例であり、この場合は、画面下部に一行分の情報２６をスクロールして表示する状態を表している。
【００２３】
図６は、番組データ抽出回路７及びＧＵＩ回路８での選択ジャンルにかかる番組データの検索及び表示処理動作にかかるフローチャートである。ＧＵＩ回路８は最初にジャンル設定がなされているかを確認する（ステップＳ１）。ジャンル設定がなされていない場合（「Ｎｏ」）は、表示処理は終了となる。ジャンル設定がなされている場合（「Ｙｅｓ」）は、番組データ抽出回路７にてＥＰＧデコードデータからＧＵＩ回路８で設定されたジャンルにかかる番組データの検索（抽出）処理がなされる（ステップＳ２）。
【００２４】
次にＧＵＩ回路８では、番組データ抽出回路７にて抽出された上記設定ジャンルの番組データに基づき、間もなく開始される番組があるか否かにつき判断を行なう（ステップＳ３）。この判断は番組の開始時間データを現在の時刻と比較することにより行なわれる。間もなく開始される番組がない場合は表示処理は終了となり、開始される番組が存在する場合はさらにＧＵＩ回路８にて番組情報画面の表示処理を行ない（ステップＳ４）、上述した図４または図５のような画面表示がなされることになる。
【００２５】
以上説明した図１の装置の動作は、視聴希望ジャンルとして「野球」、番組開始時の処理として「画面に表示」という設定がなされている場合を採り上げて説明したが、番組開始時の処理として「ＨＤＤに録画」という設定がなされている場合について次に説明する。
【００２６】
この場合、ＧＵＩ回路８は、図６のフローチャートのステップＳ４の「番組情報画面の表示処理」の代わりに録画処理回路１１に録画開始指示を行い、視聴者が設定したジャンルの番組のうち放送が開始される番組を自動的に内蔵ＨＤＤ記録装置１２に記録する。なお、録画処理装置１１はチューナ３とは別にチューナを有することで、記録しようとする番組と異なる番組を視聴者が視聴していても録画が可能となっている。チューナを別に有しない場合は、チューナ３の出力を記録処理することになるが、この場合は、視聴者が他の番組視聴を行なっていれば、チャンネルを強制的に記録すべきチャンネルに切り換えることになる。
【００２７】
以上述べた本実施の形態によれば、番組開始時間の通知がなされることで、希望するジャンルの番組の開始時間を気にする必要が無くなり、有用である。また、自動的に番組が記録されるように設定した場合は、後から自由に再生を行なって番組を視聴できるため、やはり番組の開始時間を気にする必要が無くなる。
【００２８】
図７は、本発明の他の実施の形態を示すブロック図である。この他の実施の形態においては、先の図１のブロック図の回路と以下の点で構成が相違している。すなわち、ＧＵＩ回路３２に番組データ転送処理回路３３が接続され、外部の情報端末３４（例えば携帯電話、携帯端末、パーソナルコンピュータ等）に番組開始情報を転送可能に構成したこと、及び内蔵ＨＤＤではなく外部記録装置３５を制御して放送番組の記録を行なわせるための録画処理回路３６を備えたことである。以下、上記変更点を中心に動作を説明する。
【００２９】
図８は、先の実施の形態の説明において用いた図３の設定用画面に対応する図であり、設定したジャンルの番組が始まる際に、メール送信をして情報端末３４に番組開始を通知するか（「メール送信」４１）、あるいは外部記録装置３５に録画するか（「外部記録機器に録画」４２）を視聴者はリモコン９の図示せぬ左右カーソルキー、［決定］キーで選択（設定）する。
【００３０】
図９は、図８で視聴者が「メール送信」を選択した場合の番組データ抽出・解析回路７及びＧＵＩ回路３２での動作にかかるフローチャートである。ＧＵＩ回路３２は最初にジャンル設定がなされているかを確認する（ステップＳ１１）。ジャンル設定がなされていない場合（「Ｎｏ」）は、番組開始情報転送処理は終了となる。ジャンル設定がなされている場合（「Ｙｅｓ」）は、番組データ抽出回路７にてＥＰＧデコードデータからＧＵＩ回路８で設定された選択ジャンルにかかる番組データの検索（抽出）処理がなされる（ステップＳ１２）。
【００３１】
ＧＵＩ回路３２は、番組データ抽出回路７にて抽出された上記設定ジャンルにかかる番組データの中から、間もなく開始される番組があるか否かを判断する（ステップＳ１３）。間もなく開始される番組がない場合は、情報転送処理は終了となる。間もなく開始される番組が存在する場合は、ＧＵＩ回路３２及び番組データ転送処理回路３３での番組情報転送処理を行なう（ステップＳ１４）。すなわち、ＧＵＩ回路３２の制御に基づき番組データ転送処理回路３３は、外部の情報端末３４に対しメール等を送信する。このメール送信は、電話線を介してインターネットにつないで実行しても良く、また無線等で直接に外部の情報端末３４に送信しても良い。
【００３２】
図８で視聴者が「外部記録機器に録画」を選択した場合は、図９のフローチャートにおいて、「番組情報転送処理」（ステップＳ１４）が「外部記録機器に記録」に置き換わることになる。ＧＵＩ回路３２からは、該当ジャンルの番組の開始直前に録画処理回路３６に録画指示信号が供給され、録画処理回路３５ではこの信号に基づき外部記録機器３５を制御（記録チャンネルの制御等）して記録操作を行なわせる。この制御はＩＥＥＥ１３９４等のインタフェースを利用する等で対応できる。
【００３３】
以上述べた他の実施の形態によれば、テレビジョン受像機の側にいなくとも番組開始の情報を知ることが出来、便利である。また、自動的に番組が記録されるように設定した場合は、後から自由に再生を行なって番組を視聴できる。
【００３４】
【発明の効果】以上述べたように本発明によれば、希望する種類の番組の開始時間を気にする必要の無い放送信号処理装置を提供することが出来、有用である。
【図面の簡単な説明】
【図１】本発明になる放送信号処理装置の実施の形態の一例を示すブロック図。
【図２】図１の装置における設定動作を説明するための図。
【図３】図１の装置における設定動作を説明するための図。
【図４】図１の装置による画面表示の一例を示す図。
【図５】図１の装置による画面表示の他の例を示す図。
【図６】図１の装置の動作を説明するためのフローチャート。
【図７】本発明になる放送信号処理装置の他の実施の形態を示すブロック図。
【図８】図７の装置における設定動作を説明するための図。
【図９】図７の装置の動作を説明するためのフローチャート。
【符号の説明】
１：　放送信号処理装置
２：　アンテナ入力端子
３：　チューナ
４：　ＭＰＥＧデコーダ
５：　合成回路
６：　出力端子
７：　番組データ抽出回路
８：　グラフィカル・ユーザ・インタフェース（ＧＵＩ）回路
９：　リモートコントローラ
１１：　録画処理回路
１２：　ＨＤＤ
【図１】
2004032230.tif 000003
【図２】
2004032230.tif 000004
【図３】
2004032230.tif 000005
【図４】
2004032230.tif 000006
【図５】
2004032230.tif 000007
【図６】
2004032230.tif 000008
【図７】
2004032230.tif 000009
【図８】
2004032230.tif 000010
【図９】
2004032230.tif 000011